(57)【要約】【課題】本発明は制御装置などのような発熱部品を有する電子機器において、制御装置の発熱を抑制するとともに、他の電子部品への二次的な放熱をも抑制しようとするものである。【解決手段】そしてこの目的を達成するために本発明は発熱部品の一例である制御装置６と放熱体１０との間に黒鉛シート９を介在させ、この黒鉛シート９は、前記制御装置６側に設けた押さえ板７により、前記放熱体１０に押圧された状態で、この押さえ板７と放熱体１０の間に挟持された状態とし、かつ前記押さえ板７の、前記制御装置６に対応する部分には開口部８を設けたものである。【選択図】図３
2007165685.tif 000002
【特許請求の範囲】
【請求項１】
発熱部品と、この発熱部品に当接させた放熱体とを備え、前記発熱部品と放熱体との間に黒鉛シートを介在させ、この黒鉛シートは、前記発熱部品側に設けた押さえ板により、前記放熱体に押圧された状態で、この押さえ板と放熱体の間に挟持され、かつ前記押さえ板の、前記発熱部品に対応する部分には開口部を設けた電子機器。
【請求項２】
押さえ板には開孔を設け、この開孔には発熱部品側からねじを挿入し、このねじを放熱体に螺合させた請求項１に記載の電子機器。
【請求項３】
押さえ板は、放熱体よりも熱伝導性の低い材料により形成した請求項１、または２に記載の電子機器。
【請求項４】
押さえ板は、合成樹脂により形成した請求項３に記載の電子機器。
【請求項５】
放熱体をアルミニュームで形成し、押さえ板は、ステンレス板、または合成樹脂板により形成した請求項３に記載の電子機器。
【発明の詳細な説明】
【技術分野】
【０００１】
本発明は発熱部品を有する電子機器に関するものである。
【背景技術】
【０００２】
例えばパーソナルコンピュータや携帯電話などのポータブルな電子機器でさえ、その内部に設けられた半導体集積回路（ＣＰＵ）やパワーアンプは発熱部品となり、その発熱を抑制する事が、電子機器としての性能を高める上で必要なこととなっている。
【０００３】
以上の状況に鑑み、近年の電子機器においては、発熱部品に黒鉛シートを介して放熱体を当接させ、発熱部品の熱を、黒鉛シートを介して放熱体へと放熱させ、その温度上昇を抑制しようとするものがある（例えば下記特許文献１）。
【特許文献１】特開２００５−３１１０７９号公報
【発明の開示】
【発明が解決しようとする課題】
【０００４】
上記従来例においては、発熱部品の熱は確かに黒鉛シートを介して放熱体へと伝熱され、その結果として発熱部品温度上昇は大幅に抑制され、その性能が劣化することも無くなっている。
【０００５】
このような従来例においては、黒鉛シートで横方向に熱が広げられ、放熱体への熱伝導が向上する事は評価される事ではあるが、その反面黒鉛シートで熱が横方向に広げられた分、この黒鉛シートからの二次的な放熱が他の電子部品の温度上昇を招いてしまう事が問題となる事があった。
【０００６】
そこで本発明は黒鉛シートからの二次的な放熱による他の電子部品の温度上昇を抑制する事を目的とするものである。
【課題を解決するための手段】
【０００７】
そしてこの目的を達成するために本発明は、前記発熱部品と放熱体との間に黒鉛シートを介在させ、この黒鉛シートは、前記発熱部品側に設けた押さえ板により、前記放熱体に押圧された状態で、この押さえ板と放熱体の間に挟持され、かつ前記押さえ板の、前記発熱部品に対応する部分には開口部を設けたもので、これにより所期の目的を達成するものである。
【発明の効果】
【０００８】
以上のように本発明は、発熱部品と放熱体との間に黒鉛シートを介在させ、この黒鉛シートは、前記発熱部品側に設けた押さえ板により、前記放熱体に押圧された状態で、この押さえ板と放熱体の間に挟持し、かつ前記押さえ板の、前記発熱部品に対応する部分には開口部を設けたものであり、発熱体の熱は黒鉛シートへと伝熱し、この黒鉛シートで横方向に広げられた状態で放熱体へと伝熱し、この放熱体からその外方へと放熱され、この結果として発熱部品の温度上昇は大幅に抑制され、実質的な性能劣化が生じる事は無くなる。
【０００９】
また、黒鉛シートの発熱部品側には押さえ板を設けているので、黒鉛シートは放熱体側に押さえつけられ、この結果としてこの黒鉛シートと上記放熱体による放熱効果は高いものとなる。
【００１０】
さらに、このような状態において黒鉛シートの発熱部品側には押さえ板があるので、黒鉛シートから他の電子部品への二次的な放熱が抑制され、この結果として他の電子部品の温度上昇を抑制する事ができる。
【発明を実施するための最良の形態】
【００１１】
図１はパーソナルコンピュータを示し、１はディスプレー、２はキーボード、３は本体である。
【００１２】
本体３の内部には図２に示す回路基板４が設けられており、この回路基板４上にはコンセント５が実装され、このコンセント５には制御装置６が装着されている。
【００１３】
上記制御装置６は、よく知られているようにＣＰＵ等を内蔵したものであって、近年その処理スピードが飛躍的に速くなった分発熱も大きくなっている。よって本実施の形態では、この制御装置６を発熱部品として説明をしていく。
【００１４】
制御装置６の天面上は、図３に示した押さえ板７の開口部８を貫通してその上方の黒鉛シート９に当接している。
【００１５】
またこの黒鉛シート９上にはアルミニュームで形成した放熱体１０が当接している。
【００１６】
ここで図３に示した各種部品について説明する。この黒鉛シート９は、前記発熱部品である制御装置６側に設けた押さえ板７により、前記放熱体１０に押圧された状態で、この押さえ板７と放熱体１０の間に挟持された状態になっている。またそのようにするために押さえ板７の開口部８の外周には４個の開孔１１を設け、この開孔１１には発熱部品である制御装置６側からそれぞれねじ１１Ａを挿入し、このねじ１１Ａを黒鉛シート９の開孔１２を貫通後放熱体１０のねじ穴１３に螺合させ、これにより上述のごとく黒鉛シート９は、前記発熱部品である制御装置６側に設けた押さえ板７により、前記放熱体１０に押圧された状態で、この押さえ板７と放熱体１０の間に挟持された状態になっている。
【００１７】
また、放熱体１０は図２では図示していないが上方からケースなどによって下方に押さえつけられており、結果として黒鉛シート９は制御装置６の上面に押圧された状態となっている。
【００１８】
したがって本実施形態によれば、発熱部品である制御装置６の熱は黒鉛シート９へと伝熱し、この黒鉛シート９で横方向に広げられた状態で放熱体１０へと伝熱し、この放熱体１０からその外方へと放熱され、この結果として発熱部品である制御装置６の温度上昇は大幅に抑制され、実質的な性能劣化が生じる事は無くなる。
【００１９】
また、黒鉛シート９の制御装置６側には押さえ板７を設けているので、黒鉛シート９は放熱体１０側に押さえつけられ、この結果としてこの黒鉛シート９と上記放熱体１０による放熱効果は高いものとなる。
【００２０】
さらに、このような状態において黒鉛シート９の発熱部品である制御装置６側には押さえ板７があるので、黒鉛シート９から回路基板４のコンセント５外方に実装された他の電子部品（図２には図示せず）への二次的な放熱が抑制され、この結果として他の電子部品の温度上昇を抑制する事ができる。
【００２１】
なお、押さえ板７は、放熱体１０よりも熱伝導性の低い材料であれば何でも良いが、例えば放熱体１０をアルミニュームで形成した場合には、押さえ板７は、ステンレス板、または合成樹脂板により形成する。
【産業上の利用可能性】
【００２２】
以上のように本発明によれば、発熱部品の温度上昇を大幅に抑制し、実質的な性能劣化が生じる事が無くなるので、各種電子機器において極めて有用なものとなる。
【図面の簡単な説明】
【００２３】
【図１】本発明の一実施形態の斜視図
【図２】本発明の一実施形態の要部拡大正面図
【図３】本発明の一実施形態の要部分解斜視図
【符号の説明】
【００２４】
６  制御装置（発熱部品）
７  押さえ板
８  開口部
９  黒鉛シート
１０  放熱体
【図１】
2007165685.tif 000003
【図２】
2007165685.tif 000004
【図３】
2007165685.tif 000005